(57)【要約】【課題】ナビゲーションシステムにおいて、番組放送時に旅行先などの場所情報を記録しておかなくとも、実際にドライブする際に、番組で紹介されるなどした場所の情報を取得してその場所へ至る経路を設定することができるようにする。【解決手段】コンテンツ・プロバイダ３が放送番組の概要、その番組で紹介された場所、その場所の位置や概要などのコンテンツを作成する。ナビゲーション装置２をコンテンツ・プロバイダ３に接続して所望の番組のコンテンツから場所の位置情報を取得することにより、ナビゲーション装置２がその場所に行く経路を設定する。【選択図】図１
2006258794.tif 000002
【特許請求の範囲】
【請求項１】
ナビゲーション装置と、
放送番組について、その放送番組に関連した少なくとも場所の位置情報を含むコンテンツを提供可能なコンテンツ・プロバイダと、
前記コンテンツ・プロバイダが提供可能なコンテンツを前記ナビゲーション装置に転送するための転送手段と、
を備え、
前記ナビゲーション装置は、現在位置取得手段と、コンテンツ選択手段と、経路設定手段とを有し、前記コンテンツ・プロバイダにより作成された複数のコンテンツのうちから所望のコンテンツが選択されることにより、その選択されたコンテンツが有する位置情報を取得して前記放送番組に関連した場所に至る経路を設定すること、
を特徴とするナビゲーションシステム。
【請求項２】
前記ナビゲーション装置は、前記コンテンツ・プロバイダの提供可能なコンテンツを表したコンテンツリストを表示する表示手段を備え、前記コンテンツ選択手段は、この表示装置に表示されたコンテンツリストのうちから所望のコンテンツを選択可能に構成されていることを特徴とする請求項１記載のナビゲーションシステム。
【請求項３】
前記コンテンツ・プロバイダは、提供可能なコンテンツを番組表形式で表したコンテンツリストを提供可能で、
前記ナビゲーション装置は、前記転送手段を介して前記コンテンツ・プロバイダから前記コンテンツリストの提供を受けること、
を特徴とする請求項２記載のナビゲーションシステム。
【請求項４】
前記コンテンツ・プロバイダは、複数存在すると共に、それら複数のコンテンツ・プロバイダの提供可能なコンテンツを番組表形式で表したコンテンツリストを作成して前記転送手段を介して前記ナビゲーション装置に提供可能なリスト作成プロバイダが設けられていることを特徴とする請求項２記載のナビゲーションシステム。
【請求項５】
前記ナビゲーション装置は、前記コンテンツ・プロバイダの提供可能なコンテンツを表したコンテンツリストを作成するリスト作成手段を有することを特徴とする請求項２記載のナビゲーションシステム。
【請求項６】
放送番組についてのユーザの受信履歴を作成する受信履歴作成手段を備え、
前記コンテンツ・プロバイダは、前記受信履歴作成手段の作成した受信履歴を取得すると、提供可能な前記コンテンツの中から前記受信履歴に示されたユーザの受信番組についてのコンテンツだけのコンテンツリストを作成することを特徴とする請求項３記載のナビゲーションシステム。
【請求項７】
放送番組についてのユーザの受信履歴を作成する受信履歴作成手段を備え、
前記リスト作成プロバイダは、前記受信履歴作成手段の作成した受信履歴を取得すると、前記複数のコンテンツ・プロバイダの提供可能な前記コンテンツの中から前記受信履歴に示されたユーザの受信番組についてのコンテンツだけのコンテンツリストを作成することを特徴とする請求項４記載のナビゲーションシステム。
【請求項８】
放送番組についてのユーザの受信履歴を作成する受信履歴作成手段を備え、
前記ナビゲーション装置は、前記受信履歴を取得したとき当該受信履歴を表示する表示手段を備え、その受信履歴のうちから所望の放送番組が選択されたとき、前記コンテンツ・プロバイダから前記選択された放送番組についてのコンテンツを取得することを特徴とする請求項１記載のナビゲーションシステム。
【請求項９】
前記ナビゲーション装置は、
余裕時間が設定されると、前記取得したコンテンツに含まれる場所から前記余裕時間内で立ち寄り可能な場所を選択し、選択した場所への経路を設定することを特徴とする請求項１ないし８のいずれかに記載のナビゲーションシステム。
【請求項１０】
前記ナビゲーション装置は、
ユーザの指示があった時、または予め設定された一定間隔毎に、現在位置情報を前記コンテンツ・プロバイダに送信し、
前記コンテンツ・プロバイダは、
提供可能なコンテンツに含まれる場所であって前記ナビゲーション装置より受信した現在位置からユーザにより予め設定された所定距離内にある場所を検索し、当該検索により求められた場所およびその場所の情報を含む前記コンテンツを前記ナビゲーション装置に送信し、
前記ナビゲーション装置は、
前記コンテンツ・プロバイダより受信した前記現在位置から前記所定距離内にある場所、およびその場所情報を含む前記コンテンツのリストを表示することを特徴とする請求項３または６記載のナビゲーションシステム。
【請求項１１】
前記ナビゲーション装置は、
ユーザの指示があった時、または予め設定された一定間隔毎に、現在位置情報を前記リスト作成プロバイダに送信し、
前記リスト作成プロバイダは、
提供可能なコンテンツに含まれる場所であって前記ナビゲーション装置より受信した現在位置からユーザにより予め設定された所定距離内にある場所を検索し、当該検索により求められた場所およびその場所の情報を含むコンテンツを前記ナビゲーション装置に送信し、
前記ナビゲーション装置は、
前記リスト作成プロバイダより受信した前記現在位置から前記所定距離内にある場所、およびその場所情報を含む前記コンテンツのリストを表示することを特徴とする請求項４または７記載のナビゲーションシステム。
【請求項１２】
前記転送手段は、前記ナビゲーション装置と前記コンテンツ・プロバイダとを相互通信可能な通信システムによって構成され、
前記コンテンツ・プロバイダは、前記ナビゲーション装置が選択されたコンテンツのダウンロード要求を送信したとき、そのコンテンツを前記ナビゲーション装置にダウンロードすることを特徴とする請求項１ないし１１のいずれかに記載のナビゲーションシステム。
【請求項１３】
前記コンテンツ・プロバイダは、前記コンテンツに、前記放送番組に関する場所の他、その放送番組で流された音声を録音した音声またはその音声を擬似する合成音声の情報をも含ませることを特徴とする請求項１ないし１２のいずれかに記載のナビゲーションシステム。
【請求項１４】
前記コンテンツ・プロバイダは、前記放送番組がテレビ放送番組であるとき、前記コンテンツに、前記放送番組に関する場所の他、その放送番組の出演者の写真またはビデオ映像或いは模擬するキャラクタの画像情報をも含ませることを特徴とする請求項１ないし１３のいずれかに記載のナビゲーションシステム。
【請求項１５】
現在位置取得手段と、経路設定手段と、コンテンツ選択手段とを有し、
外部情報源が提供可能なコンテンツであって、放送番組についてその放送番組に関連した少なくとも場所の情報を含むコンテンツから所望のコンテンツが選択されることにより、その選択したコンテンツが有する位置情報を取得して前記放送番組に関連した場所に至る経路を設定すること、
を特徴とするナビゲーション装置。
【請求項１６】
外部情報源から提供可能なコンテンツを表したコンテンツリストを表示する表示手段を備え、
前記表示手段に表示されたコンテンツリストから前記コンテンツ選択手段によって前記外部情報源から提供を受けるコンテンツを選択することを特徴とする請求項１５記載のナビゲーション装置。
【請求項１７】
前記コンテンツリストは、番組表形式で表されることを特徴とした請求項１６記載のナビゲーション装置。
【請求項１８】
前記外部情報源が提供可能なコンテンツを取得したとき、そのコンテンツリストを番組表形式に作成するリスト作成手段を備えていることを特徴とする請求項１６または１７記載のナビゲーション装置。
【請求項１９】
前記外部情報源は、コンテンツ・プロバイダ、複数のコンテンツ・プロバイダからのコンテンツを配信するサーバ、コンテンツ・プロバイダからコンテンツを取得して保持するサーバのうちの少なくとも１つであることを特徴とする請求項１５ないし１８のいずれかに記載のナビゲーション装置。
【請求項２０】
放送番組についてのユーザの受信履歴を作成する受信履歴作成手段から受信履歴が提供され、その受信履歴のうちから所望の放送番組が選択されたとき、前記コンテンツ・プロバイダから前記選択された放送番組についてのコンテンツを取得することを特徴とする請求項１５ないし１９のいずれかに記載のナビゲーション装置。
【請求項２１】
余裕時間の入力を受けると、前記選択されたコンテンツに含まれる場所から前記余裕時間内で経由可能な場所を選択し、選択した場所を経由する経路を探索することを特徴とする請求項１５ないし２０のいずれかに記載のナビゲーション装置。
【請求項２２】
ユーザの指示があった時、または予め設定された一定間隔毎に、現在位置情報を前記外部情報源に送信することを特徴とする請求項１５ないし２１のいずれかに記載のナビゲーション装置。
【請求項２３】
放送番組について、その放送番組に関連した少なくとも場所の情報を含むコンテンツを格納したデータベースを備え、外部からコンテンツを指定してダウンロード要求があったとき、当該指定されたコンテンツを外部の要求元へダウンロードすることを特徴とするコンテンツ・プロバイダ。
【請求項２４】
提供可能なコンテンツを番組表形式のコンテンツリストにして外部に提供可能であることを特徴とする請求項２３記載のコンテンツ・プロバイダ。
【請求項２５】
ナビゲーション装置と通信可能で、前記ナビゲーション装置より現在位置情報を受信したとき、提供可能なコンテンツに含まれる場所であって前記ナビゲーション装置より受信した現在位置からユーザにより予め設定された所定距離内にある場所を検索し、当該検索により求められた場所およびその場所の情報を含むコンテンツを前記ナビゲーション装置に送信することを特徴とする請求項２３または２４記載のコンテンツ・プロバイダ。
【請求項２６】
前記コンテンツに、前記放送番組に関する場所の他、その放送番組で流された音声を録音した音声またはその音声を擬似する合成音声の情報をも含ませることを特徴とする請求項２３ないし２５のいずれかに記載のコンテンツ・プロバイダ。
【請求項２７】
前記放送番組がテレビ放送番組であるとき、前記コンテンツに、前記放送番組に関する場所の他、その放送番組の出演者の写真またはビデオ映像或いは模擬するキャラクタの情報をも含ませることを特徴とする請求項２３ないし２６のいずれかに記載のコンテンツ・プロバイダ。
【請求項２８】
請求項２０に記載の複数のコンテンツ・プロバイダに接続可能で、それら複数のコンテンツ・プロバイダが提供可能なコンテンツを番組表形式のコンテンツリストにして外部に提供可能に構成され、外部からコンテンツを指定してダウンロード要求があったとき、当該指定されたコンテンツを外部の要求元へダウンロードすることを特徴とするサーバ。
【請求項２９】
表示装置に放送番組表を表示し、その放送番組表のうちから所望の放送番組が選択されると、その放送番組に関連する場所の情報を取得して当該場所に至る経路を設定することを特徴とするナビゲーション装置の経路設定方法。
【請求項３０】
ユーザの受信履歴を取得し、前記放送番組表に表される放送番組を、受信履歴に示される放送番組とすることを特徴とする請求項２９記載のナビゲーション装置の経路設定方法。
【請求項３１】
デジタル放送を受信するデジタル放送受信手段と、
このデジタル放送受信手段が受信した放送番組中に、場所に関連する情報が存在したとき、少なくともその場所を含むコンテンツを作成するコンテンツ作成手段と、
このコンテンツ作成手段により作成されたコンテンツを記憶する記憶手段と、
この記憶手段に記憶されたコンテンツをリストにして表示する表示手段と、
この表示手段に表示されたコンテンツのリストから所望するコンテンツを選択する選択手段と、
この選択手段により選択されたコンテンツに含まれる場所情報からその場所に至る経路を探索する経路設定手段と
を具備してなるカーナビゲーション装置。
【発明の詳細な説明】
【技術分野】
【０００１】
本発明は、ドライブしたりレストランなどへ行ったりする場合に、放送番組に連係するコンテンツを利用することにより、放送番組で紹介されるなどした所へ案内する経路を設定できるようにしたナビゲーションシステム、ナビゲーション装置、コンテンツ・プロバイダ、ナビゲーション装置の経路設定方法およびカーナビゲーション装置に関する。
【背景技術】
【０００２】
近年、放送衛星を利用したＢＳデジタル放送が商用化され、また、地上デジタル放送も実現されつつある。デジタル放送では、映像に加えて、種々のデジタル情報が放送される。このデジタル放送の利用形態の一例として、例えば特許文献１に開示された旅行先情報設定システムがある。この特許文献１に記載された利用形態は次のようなものである。
【０００３】
ユーザがテレビ番組を視聴しながら放送されている旅行先に興味を持ち、いつか機会があれば行ってみたいと思えば、テレビリモコンを操作して、その旅行先、宿泊した旅館やホテル、立ち寄った店などの場所や電話番号を記録すべき指示を行う。すると、それらのデジタル情報がメモリカードにダウンロードされる。ユーザが実際にドライブに出かける際、旅行先情報をメモリカードからカーナビゲーション装置にダウンロードする。すると、カーナビゲーション装置が旅行先情報に示された場所を目的地に設定し、当該目的地に至る経路を探索して表示装置の地図上に経路を表示する。
【特許文献１】特開２００４−２９００６号公報
【発明の開示】
【発明が解決しようとする課題】
【０００４】
特許文献１に開示された構成では、ユーザがテレビ番組を視聴し、その場所に行ってみたいと思ったときに、メモリカードを接続して旅行先情報をダウンロードする必要がある。後日、過去に視聴した番組を思い出して、放送されていた場所に行ってみたいと思っても、番組の視聴時に旅行先情報をメモリカードにダウンロードしていなければ、その情報を利用することはできない。
【０００５】
本発明は上記の事情に鑑みてなされたもので、その目的は、番組放送時に旅行先などの場所情報を記録しておかなくとも、実際にドライブする際に、過去の放送番組であっても、その番組で紹介されるなどした場所の情報を取得でき、その場所へ至る経路を設定することができるナビゲーションシステム、ナビゲーション装置、コンテンツ・プロバイダ、ナビゲーション装置の経路設定方法およびカーナビゲーション装置を提供することにある。
【課題を解決するための手段】
【０００６】
請求項１、１５、２３、３１の発明においては、コンテンツ・プロバイダが放送番組に関連した少なくとも場所の情報を含むコンテンツを提供するので、ナビゲーション装置は、そのコンテンツ・プロバイダからコンテンツを取得することによって、過去に放送された番組であっても、その番組に関連する場所、例えば旅行先の場所情報を取得し、その場所へ至る経路を設定することができる。
【０００７】
請求項２、１６の発明では、ナビゲーション装置の表示手段にコンテンツ・プロバイダの提供可能なコンテンツリストが表示され、そのリストの中からユーザが所望のコンテンツを選択することができるので、コンテンツの選択を容易に行うことができる。
【０００８】
請求項３、１７、２４の発明では、コンテンツリストが番組表形式で表されるので、ユーザが○○番組で紹介されていた場所に行きたいと考えたとき、その考えたことが直接的に操作に繋がるので、分かり易く、コンテンツの選択が容易となる。
【０００９】
請求項４、２８の発明では、リスト作成プロバイダが複数のコンテンツ・プロバイダの提供可能なコンテンツのリストを作成するので、リスト作成プロバイダに接続すれば、複数のコンテンツ・プロバイダのコンテンツリストを取得でき、コンテンツ・プロバイダに個別に接続する必要がない。
【００１０】
請求項５、１８の発明では、ナビゲーション装置がリスト作成手段を有しているので、コンテンツリストを作成していないコンテンツ・プロバイダからコンテンツの提供を受けようとする場合に、そのコンテンツの選択を容易に行うことができる。
【００１１】
請求項６、７、８および２０の発明では、ユーザの受信履歴を元にしてコンテンツを選択できるので、以前視聴した番組で紹介されていた場所へ入ってみたいという要求に対処することができる。
【００１２】
請求項９、２１の発明では、余裕時間が設定されると、その余裕時間内で立ち寄り可能な場所を選択してその場所に至る経路を設定するので、ドライブ中に空いた時間を利用して行ってみたいと思っていた場所に行くことができる。
【００１３】
請求項１０、１１、２２、２５の発明では、ユーザの現在位置から所定距離以内にある場所がコンテンツに含まれる場合、そのコンテンツのリストが表示されるので、ユーザは放送番組を視聴していなくとも、放送で紹介された場所ならば寄ってみようというように現在位置の近くにあるという基準でコンテンツを選択できるようになる。また、旅行先などで、その地域で放送されたローカル番組に関連するコンテンツを利用する場合に有効である。
【００１４】
請求項１２の発明では、コンテンツ・プロバイダからナビゲーション装置へ直接的にコンテンツをダウンロードすることができる。
請求項１３、２６の発明では、経路案内を、放送番組で流された音声を録音した音声またはその音声を擬似する合成音声にて行うことが可能となる。
【００１５】
請求項１４、２７の発明では、経路案内を、放送番組の出演者の写真またはビデオ映像或いは模擬するキャラクタの画像を用いて行うことが可能となる。
請求項１９のように、ナビゲーション装置にコンテンツを提供する外部情報源としては、コンテンツ・プロバイダ、複数のコンテンツ・プロバイダからのコンテンツを配信するサーバ、コンテンツ・プロバイダからコンテンツを取得して保持するサーバのうちの少なくとも１つとすることができる。
【００１６】
また、請求項２９の発明によれば、ナビゲーション装置に、放送番組に関連する場所への経路を設定することができる。
請求項３０の発明によれば、上記請求項２９の発明において、ユーザの受信履歴から放送番組を選択することができる。
【発明を実施するための最良の形態】
【００１７】
（第１の実施形態）
以下、本発明の第１の実施形態を図１ないし図７に基づいて説明する。図１はナビゲーションシステムの全体構成を示すもので、車両１に搭載され外部との通信機能を有したナビゲーション装置２と、放送番組からコンテンツを作成して外部に提供する外部情報源としてのコンテンツ・プロバイダ３と、ナビゲーション装置２とコンテンツ・プロバイダ３との間を接続するため通信網としてのインターネット４とから構成されている。
【００１８】
ナビゲーション装置２は、図３に示すように、ナビゲーション装置２の全体を統括制御する制御手段としての制御回路５に対して、表示装置６、現在位置取得手段としての位置検出器７、地図データ取得手段としての地図データ記憶装置８、操作手段としての操作スイッチ群９、音声出力装置１０、リモコン１１からの信号を検出するリモコンセンサ１２、外部メモリ１３、通信手段としての通信装置１４、情報記録媒体接続部としてのメモリカードスロット１５などを接続して構成されている。
【００１９】
制御回路５は、マイクロコンピュータとして構成されたもので、ＣＰＵ、ＲＯＭ、ＲＡＭ、Ｉ／Ｏインタフェース（いずれも図示せず）を備えている。これらのうち、ＲＯＭには、ナビゲーション用、コンテンツ記述言語である例えばＨＴＭＬやＸＭＬを解析して文字、画像を表示させるＷＷＷブラウザ、コンテンツ取得のためのプログラムなどが格納され、ＲＡＭにはプログラム実行時の処理データや地図データ記憶装置８から取得した地図データなどが一時的に格納される。
【００２０】
また、制御回路５は、現在位置を地図上に位置付けるマップマッチング処理を実行するという基本的な機能の他に、操作スイッチ群９やリモコン１１を通じて目的地や経由地点などの地点データが入力されたときに、その地点データに基づいて現在位置から目的地までの経路探索動作を例えばダイクストラ法を用いて行い、その経路探索結果に応じた案内ルートを地図画面上に表示するという経路設定手段としての経路計算機能（所謂リルート探索機能も含む）や、この機能により得られた案内ルートに基づいて音声出力装置１０からの音声や表示装置６への表示などにより種々のガイドを行う経路案内手段としての経路案内機能など、周知の支援機能を備えている。
【００２１】
位置検出器７は、絶対方位を検出するための地磁気センサ１６、ヨー角速度（ヨーレート）を検出するためのジャイロスコープ１７、車速を検出するための車速センサ１８およびＧＰＳ用人工衛星からの信号を受信するＧＰＳ受信機１９から構成されており、車両の現在位置情報（経度・緯度情報）を算出する部分である。なお、制御回路５は、位置検出のために、車速センサ１８の検出した車速を積分して走行距離を演算する。この位置検出器７は、各構成要素が性質の異なる検出誤差を有するため、互いに検出誤差を補間しながら精度の高い位置検出を行うようになっているが、要求される検出精度で現在位置を算出可能であれば全部の構成要素を備える必要はない。
【００２２】
地図データ記憶装置８は、記憶手段としての例えばＣＤ−ＲＯＭやＤＶＤ−ＲＯＭのような大容量の情報記録媒体と、この情報記録媒体から地図データを読み取る読取装置とから構成されている。なお、情報記録媒体としては、ハードディスク、光磁気ディスク、大容量メモリカードなどを用いることもできる。情報記録媒体が記憶している地図データは、地図情報や施設情報などを含んでいる。
【００２３】
表示装置６は、図、映像、グラフィックなどを表示可能な例えばカラー液晶ディスプレイ（表示画面）を含んで構成されている。操作スイッチ群９は、表示装置６の周辺に配置されたメカニカルスイッチ２０や表示装置６のカラー液晶ディスプレイ上に形成されたタッチパネル２１などから成り、各種のデータや設定事項などの操作入力を制御回路５に与えるために設けられている。尚、リモコン１１も操作スイッチ群９と同様に操作手段として設けられたもので、リモコンセンサ１２がリモコン１１からの操作入力を受信して制御回路５に与えるようになっている。音声出力装置１０は、音声合成回路、アンプ、スピーカなどを備えたもので、制御回路５からの音声情報に応じた任意の音声出力を発生できるようになっている。
【００２４】
外部メモリ１３は、ＲＡＭやハードディスクなどからなる。通信装置１４は、例えば携帯電話モジュールなどからなり、図１に示すように携帯電話網（移動通信システム）の基地局（路側通信装置）２２およびインターネット４などを介してコンテンツ・プロバイダ３に接続できるようになっている。従って、これら通信装置１４、基地局２２、インターネット４などは、ナビゲーション装置２をコンテンツ・プロバイダ３に接続してコンテンツ・プロバイダ３から情報を取得するための転送手段、ナビゲーション装置２とコンテンツ・プロバイダ３とを相互通信可能にする通信システムに相当する。
【００２５】
一方、コンテンツ・プロバイダ３は、図２に示すように、受信部２３、制御装置２４、データベース２５、通信部２６を備えている。受信部２３は、放送番組、この実施形態ではテレビ放送事業者２７から放送される地上デジタル放送およびＢＳデジタル放送を受信する。制御装置２４は、受信部２３で受信した放送番組の中で紹介された観光地、宿泊地、宿泊施設、店舗などの番組に関連した場所情報をデジタル情報にて取得し、その場所情報を含んだコンテンツを、コンテンツ記述言語であるＸＭＬ（ｅＸｔｅｎｓｉｂｌｅ  Ｍａｒｋｕｐ  Ｌａｎｇｕａｇｅ）で作成してデータベース２５に格納する。通信部２６は、インターネット４へのアクセスを制御する。なお、図２では、テレビ放送事業者２７を一つしか示していないが、実際には複数存在する。
【００２６】
前記制御回路５が作成するコンテンツは、放送された番組毎に作成され、図４に示すように、番組名、放送局名、放送日時、番組の内容を要約した番組概要、出演者、番組中に出てきた例えば観光地・店舗・宿泊地・宿泊施設などの番組に関連した場所、上記場所を巡った順路（コース）、上記場所の位置情報（例えば緯経度）、上記各場所の概要などの情報群からなる。これら種々の情報のうち、受信した放送番組から取得できない情報については、番組紹介本の作成業者から配布される番組表を格納したＣＤなどから取得する。
【００２７】
また、制御装置２４は、保有しているコンテンツのリスト（以下、コンテンツリストと言う。）を作成してデータベース２５に格納している。このコンテンツリストは、図５に示すように、番組名、放送局名、放送日時、番組概要、コース、場所の概要などを番組毎にまとめた番組表形式にて作成されている。更に、制御装置２４は、コンテンツリスト中の各コンテンツについて、コンテンツに含まれる場所の詳細リスト（以下、単に詳細リストと言う。）を作成し、これをデータベース２５に格納している。このコンテンツの詳細リストは、図６に示すように、上段のタイトル部分に「月日××番組で紹介した場所」と記載され、その下のリスト部に場所毎に、「場所名」、その場所が店舗などであるときには「営業時間」、「場所の概要」などが記載された構成となっている。
【００２８】
上記のコンテンツリストは、図１に示すユーザのパソコン（外部のコンテンツリスト作成手段）２８でも作成することができるようになっている。即ち、パソコン２８にはリスト作成プログラムが格納されており、コンテンツ・プロバイダ３からパソコンにコンテンツをダウンロードすれば、パソコン２８にても図５のコンテンツリストを作成できる。そして、パソコン２８で作成したコンテンツリストは、転送手段としての情報記録媒体、例えばメモリカード２９に格納し、そのメモリカード２９をナビゲーション装置２のメモリカードスロット１５に差し込むことにより、パソコン２８で作成したコンテンツリストをナビゲーション装置２にダウンロードすることができるようになっている。
【００２９】
ナビゲーション装置２がダウンロードしたコンテンツリストは、表示装置６に表示される。ユーザは、その表示装置６に表示されたコンテンツリストから所望の番組名の表示部分をタッチ（選択）すると、制御回路５は、コンテンツ選択手段としてのタッチパネル２１からのタッチ位置情報によって選択された番組名を検出する。そして、選択された番組名は、通信装置１４からコンテンツ・プロバイダ３に送信（ダウンロード要求）され、コンテンツ・プロバイダ３では選択された番組のコンテンツの全部或は一部をナビゲーション装置２にダウンロードするようになっている。
【００３０】
次に、上記のように構成したナビゲーションシステムの作用を図７のフローチャートをも参照しながら説明する。
ナビゲーション装置２の操作スイッチ群９或いはリモコン１１を操作してコンテンツ利用モードに設定する。すると、表示装置６にコンテンツリストの取得方法が表示される（ステップＳ１）。本実施形態の場合、コンテンツリストの取得方法は、ユーザがパソコン２８で作成したリスト（以下、ユーザ作成コンテンツリストと言う。）を使用する場合、複数のコンテンツ・プロバイダ３のうちから所望のコンテンツ・プロバイダを選択することから開始し、その選択されたコンテンツ・プロバイダが作成したコンテンツリストを使用する場合、所望の番組名などを入力して当該番組のコンテンツを提供可能なコンテンツ・プロバイダを検索することから開始し、最終的にコンテンツ・プロバイダが作成したコンテンツリストを使用する場合の３つの方法がある。
【００３１】
ユーザが表示装置６に表示されたコンテンツリスト取得方法のうちから、所望の取得方法が表示された部分をタッチ操作すると、制御回路５は、タッチパネル２１からのタッチ位置情報によりいずれの取得方法が選択されたかを検出する（ステップＳ２）。
【００３２】
＜ユーザ作成のコンテンツリストを使用する場合＞
この場合には、予めパソコン２８で作成したコンテンツリストをメモリカード２９に格納し、そのメモリカード２９をナビゲーション装置２のメモリカードスロット１５に差し込んでおく。そして、ユーザ作成コンテンツリストを使用する操作が行われると、制御回路５は、メモリカード２９からコンテンツリストをダウンロードし（ステップＳ３）、表示装置６に表示する（ステップＳ１３）。なお、コンテンツリストには、どのコンテンツ・プロバイダ３のものかを識別できる情報も記載されている。
【００３３】
＜コンテンツ・プロバイダの選択から開始する場合＞
このコンテンツ・プロバイダの選択から開始する取得方法は、コンテンツを提供するコンテンツ・プロバイダ３のリスト（以下、プロバイダリスト）を予めユーザが編集し、このプロバイダリストが記憶手段としての外部メモリ１３に格納されていることを前提とする。プロバイダリストが外部メモリ１３に格納されていないときには、制御回路５は、本取得方法が選択された場合、プロバイダリストがない旨を表示装置６に表示する。
【００３４】
さて、コンテンツ・プロバイダの選択から開始する方法が選択されると、制御回路５は、外部メモリ１３に記憶されているプロバイダリストを取得して表示装置６に表示する（ステップＳ４）。ユーザがこのプロバイダリストから所望のコンテンツ・プロバイダが表示された部分をタッチ（以下、単に選択という。）すると、制御回路５は、タッチパネル２１からのタッチ位置情報により選択されたコンテンツ・プロバイダを検出する（ステップＳ５）。そして、制御回路５は、通信装置１４をインターネット２３を介して選択されたコンテンツ・プロバイダに接続し、そのコンテンツ・プロバイダからコンテンツリストをダウンロードしてこれを表示装置６に表示する（ステップＳ６、１３）。
【００３５】
＜所望の番組名を入力することから開始する場合＞
この取得方法が選択されると、制御回路５は、通信装置１４をインターネット２３を介して検索エンジンのＷｅｂサイトに接続し、その検索エンジンのコンテンツ・プロバイダ検索画面を表示装置６に表示する（ステップＳ７）。そして、この検索画面において、ユーザが所望の番組名、放送局名などを入力すると、制御回路５は、その入力事項を受け付けて検索エンジンに送信する（ステップＳ８、９）。検索エンジンは、上記の入力事項を有するコンテンツを提供可能なコンテンツ・プロバイダを検索し、そのリストをナビゲーション装置２に提供してくるので、制御回路５は、そのコンテンツ・プロバイダリストを表示装置６に表示する（ステップＳ１０）。
【００３６】
次に、ユーザがコンテンツ・プロバイダリストから所望のコンテンツ・プロバイダを選択すると、制御回路５は、その選択されたコンテンツ・プロバイダを検出し（ステップＳ１１）、当該コンテンツ・プロバイダにアクセスしてコンテンツリストをダウンロードしこれを表示装置６に表示する（ステップＳ１２、１３）。
【００３７】
以上のいずれかの方法により、コンテンツリストを表示装置６に表示すると、ユーザは、そのリストのうちから行ってみたい場所のある番組を選択する。すると、制御回路５は、その選択された番組を検出し、その番組名をコンテンツ・プロバイダ３に送信する（ステップＳ１４）。なお、コンテンツリストをユーザ作成のものを使用する場合が選択されたときには、この時点で通信装置１４をインターネット４を介してコンテンツ・プロバイダ３に接続するものである。
【００３８】
コンテンツ・プロバイダ３では、選択された番組のコンテンツの詳細リスト（図６）をデータベースから検索してナビゲーション装置２へダウンロードする。ナビゲーション装置２の制御回路５は、コンテンツ・プロバイダ３からダウンロードされた詳細リストを取得すると（ステップＳ１５）、そのコンテンツの詳細リストを表示装置６に表示する（ステップＳ１６）。
【００３９】
このようにして表示されたコンテンツの詳細リストからユーザが行ってみたい場所を一または複数選択する。すると、制御回路５は、その選択された場所を受け付け、これをコンテンツ・プロバイダ３に送信する（ステップＳ１７）。すると、コンテンツ・プロバイダ３は、選択された場所について経路設定に用いる位置情報（例えば緯経度、電話番号など）をナビゲーション装置２にダウンロードする（ステップＳ１８）。そして、ナビゲーション装置２は、コンテンツ・プロバイダ３からダウンロードされた位置情報に基づいて、出発地（現在地）からユーザが選択した場所に至る経路を設定し、その設定した経路を表示装置６に表示されている地図上に重ねて表示する（ステップＳ１９）。この場合、ユーザの選択場所が複数あるときには、番組でのコース順、ユーザの指定順、或いは現在地から近い順などにより経路が設定される。以上により、制御回路５は、コンテンツ利用モードでの経路設定を終了し、リターンとなる。そして、制御回路５は、設定された経路に沿って車両１が走行するように経路案内を行う。
【００４０】
このように本実施形態によれば、ドライブを計画するとき、テレビ番組で紹介されていた場所に行きたいと思った場合、コンテンツ・プロバイダ３からコンテンツの提供を受けることによって、番組で紹介されていた場所の位置情報を取得することができる。しかも、コンテンツ・プロバイダ３から取得した位置情報により、テレビ番組で紹介されていた場所までの経路をナビゲーション装置２により設定することができる。
【００４１】
その上、番組で紹介された場所は、番組放送時に記録しておかなくとも、また、実際に番組を視聴していなくとも、番組名が分かっていればコンテンツ・プロバイダ３から提供されるコンテンツによって容易に取得することができる。このため、実際に視聴したか否かとは関係なく、評判になった番組で紹介された場所へ容易に行くことができる。
【００４２】
本実施形態では、コンテンツは、番組表形式のコンテンツリストとして表示されるので、コンテンツの選択が容易になる。その上、コンテンツリストには、番組の内容の概要、出演者、コース、場所、場所の概要などが記載されているので、これらをコンテンツの選択判断の有力情報とすることができる。
【００４３】
また、コンテンツを選択したときには、そのコンテンツが有する場所が詳細リストになって表示されるので、場所の選択も容易となると共に、詳細リストには概要ではあるが場所のより詳細な説明が表示されているので、場所の選択判断の有力な資料とすることができる。
【００４４】
（第２の実施形態）
図８ないし図１０は本発明の第２の実施形態を示す。この第２の実施形態が上記第１の実施形態と異なるところは、図８に示すように、複数のコンテンツ・プロバイダ３をリスト作成プロバイダとして機能する一つのセンタ・プロバイダ３０に接続し、ナビゲーション装置２およびパソコン２８は、直接的にはセンタ・プロバイダ３０とインターネット４を介して相互通信するように構成したところにある。
【００４５】
つまり、センタ・プロバイダ３０は、複数のコンテンツ・プロバイダ３からそれらが作成したコンテンツをダウンロードして記憶する。また、センタ・プロバイダ３０は、記憶したコンテンツについて、コンテンツを番組毎に仕分けしたリストを作成して記憶すると共に、各コンテンツの詳細リスト（図６）を作成して記憶しており、それらのリストをナビゲーション装置２に提供できるようになっている。また、センタ・プロバイダ３０は、検索機能を有し、ナビゲーション装置２から番組名や出演者、場所名などが指定されると、その指定事項を含むコンテンツを検索する。
【００４６】
なお、上記のコンテンツを番組毎に仕分けしたリストは、図１０に示すように、タイトル部に番組名が記載され、その下のリスト部に、コンテンツを作成したコンテンツ・プロバイダ名、放送局名、放送日時、番組概要、コース、場所の概要などがコンテンツ毎に記載して構成されている。
【００４７】
以上のセンタ・プロバイダ３０の機能は、図９のフローチャートにより一層明らかとなる。即ち、ナビゲーション装置２をコンテンツ利用モードに設定すると、表示装置６にコンテンツリストの取得先が表示される（ステップＡ１）。本実施形態の場合、コンテンツリストの取得先は、ユーザ作成のものを使用するか、センタ・プロバイダ３０を利用するかである。ユーザが取得先を選択すると、制御回路５は、いずれの取得先が選択されたかを判断する（ステップＡ２）。
【００４８】
ユーザ作成のものを使用することが選択された場合、制御回路５は、メモリカードスロット１５に差し込まれたメモリカード２９からにユーザ作成コンテンツリストをダウンロードし（ステップＡ３）、表示装置６に表示する（ステップＡ１４）。そして、ユーザがこのコンテンツリストから所望のコンテンツを選択すると、制御回路５は、その選択されたコンテンツを検出する（ステップＡ１５）。
【００４９】
一方、センタ・プロバイダ３０を利用することが選択された場合、制御回路５は、センタ・プロバイダ３０に接続し（ステップＡ４）、センタ・プロバイダ３０からのコンテンツリスト取得方法を表示する（ステップＡ５）。本実施形態の場合、センタ・プロバイダ３０からのコンテンツリストの取得方法は、センタ・プロバイダ３０が作成した番組別コンテンツリストを利用する方法、コンテンツ・プロバイダ別のコンテンツリストを利用する方法、放送局名や番組名などのキーワード入力によるコンテンツ・プロバイダやコンテンツを検索する方法がある。
【００５０】
ユーザが表示装置６に表示されたコンテンツリスト取得方法のうちから、所望の取得方法が表示された部分をタッチ操作すると、制御回路５は、タッチパネル２１からのタッチ位置情報によりいずれの取得方法が選択されたかを検出する（ステップＡ６）。
【００５１】
＜センタ・プロバイダ作成の番組別コンテンツリストを利用する方法が選択＞
この方法が選択されると、制御回路５は、センタ・プロバイダ３０に番組別コンテンツリストを要求し、これに応答してセンタ・プロバイダ３０は、ナビゲーション装置２に番組別コンテンツリストをダウンロードする（ステップＡ７）。そして、制御回路５は、ダウンロードされた番組別コンテンツリストを表示装置６に表示する（ステップＡ１４）。ユーザがこのコンテンツリストから所望のコンテンツを選択すると、制御回路５は、その選択されたコンテンツを検出する（ステップＡ１５）。
【００５２】
＜コンテンツ・プロバイダ別コンテンツリストを利用する方法が選択＞
この方法が選択されると、制御回路５は、センタ・プロバイダ３０にコンテンツ・プロバイダリストを要求し、そのコンテンツ・プロバイダリストがセンタ・プロバイダ３０からダウンロードされると、コンテンツ・プロバイダリストを表示装置６に表示する（ステップＡ８）。ユーザがこのコンテンツ・プロバイダリストから所望するコンテンツ・プロバイダを選択すると、制御回路５は、選択されたコンテンツ・プロバイダを認識し（ステップＡ９）、センタ・プロバイダ３０にそのコンテンツ・プロバイダのコンテンツリストを要求する。そして、センタ・プロバイダ３０から選択されたコンテンツ・プロバイダのコンテンツリストがダウンロードされてくると（ステップＡ１０）、制御回路５は、そのコンテンツリストを表示装置６に表示する（ステップＡ１４）。ユーザがこのコンテンツリストから所望のコンテンツを選択すると、制御回路５は、その選択されたコンテンツを検出する（ステップＡ１５）。
【００５３】
＜キーワード入力によるコンテンツ・プロバイダやコンテンツの検索が選択＞
この場合には、制御回路５は、表示装置６に検索エンジンのキーワード入力画面を表示し、ユーザのキーワード入力を受け付け、入力事項をセンタ・プロバイダ３０に送信する
（ステップＡ１１）。そして、センタ・プロバイダ３０は、制御回路５は、入力されたキーワードからこれに該当するコンテンツ・プロバイダやコンテンツを検索し、その検索結果をリストとして生成し、ナビゲーション装置２に提供する（ステップＡ１２）。検索結果のリストがコンテンツリストである場合、制御回路５は、続いて前記ステップＡ１４、１５を順に実行してユーザの選択したコンテンツを検出する。一方、検索結果がコンテンツ・プロバイダリストである場合、制御回路５は、前記ステップＡ８に移行し、以下、前記ステップＡ９、１０、１４、１５を順に実行してユーザの選択したコンテンツを検出する。
以上のようにしてコンテンツが選択されると、以後、制御回路５は、前述の第１の実施形態における図７のステップＳ１４以降と同じ内容のステップＡ１５〜Ａ２０を順に実行してエンドとなる。
【００５４】
（第３の実施形態）
図１１〜図１４は本発明の第３の実施形態を示す。この実施形態が前述の第１の実施形態と異なるところは、ユーザのテレビ番組の視聴履歴を記録し、これを利用してコンテンツ選択を行うようにしたところにある。
図１１において、ユーザの家庭用のテレビ受信機３１の制御部３１ａは、データベース３２に接続されており、ユーザの視聴履歴をデータベース３２に記録できるようになっている（視聴履歴作成手段）。この視聴履歴は、図１３に示すように、番組名、放送局名、放送日時、番組概要、コース、番組で紹介された場所などの事項からなる。また、テレビ受信機３１の制御部３１ａには、狭域通信装置３３が接続され、この狭域通信装置３３から視聴履歴を送信できるようになっている。
【００５５】
これに対し、図１３に示すように、ナビゲーション装置２の制御回路５には、テレビ受信機３１側の狭域通信装置３３と通信可能な狭域通信装置３４が接続されている。そして、ユーザの視聴履歴は、定期的、或いはナビゲーション装置２に電源が投入されたときに、テレビ受信機３１側の狭域通信装置３３からナビゲーション装置２側の狭域通信装置３４に送信されるようになっており、その受信履歴は外部メモリ１３に記憶されるようになっている。
【００５６】
視聴履歴を利用してコンテンツを検索する場合の一例を図１４のフローチャートを参照しながら説明する。なお、視聴履歴は予め外部メモリ１３に記憶されているものとする。ナビゲーション装置２をコンテンツ利用モードに設定し、タッチパネル２１を操作して視聴履歴利用によるコンテンツ検索を選択すると、制御回路５は、その視聴履歴利用のコンテンツ検索を受け付け（ステップＢ１）、外部メモリ１３に記憶されている視聴履歴リストを表示装置６に表示する（ステップＢ２）。
【００５７】
ユーザがこの視聴履歴リストから所望の番組を選択すると、制御回路５は、その選択された番組を検出し（ステップＢ３）、通信装置１４を介してコンテンツ・プロバイダ３に接続して複数のコンテンツ・プロバイダ３から受け付けた番組のコンテンツを提供可能なコンテンツ・プロバイダ３を検索する（ステップＢ４）。この検索は、制御回路５がコンテンツ・プロバイダ３からコンテンツリストを取り寄せて行うか、そのコンテンツリストの中に受け付けた番組名と放送日時を付したコンテンツが存在するか否かによって行っても良いし、受け付けた番組名と放送日時をコンテンツ・プロバイダ３に送信し、コンテンツ・プロバイダ３がコンテンツリストの中にその番組名と放送日時を付したコンテンツが存在するか否かによって行うようにしても良い。
【００５８】
以上のようにしてユーザの所望する番組のコンテンツを提供可能なコンテンツ・プロバイダ３を検索すると、次に制御回路５は、ユーザの所望する番組のコンテンツを提供可能なコンテンツ・プロバイダ３から当該コンテンツの詳細リストを取得し（ステップＢ５）、その詳細リストを表示装置６に表示する（ステップＢ６）。ユーザがその詳細リストから一以上の所望の場所を選択すると、制御回路５は、その選択された場所を検出する（ステップＢ７）。そして、選択された場所の位置情報をコンテンツ・プロバイダ３から取得し（ステップＢ８）、その場所への経路検索を行い（ステップＢ９）、エンドとなる。
【００５９】
このように本実施形態によれば、過去に視聴した番組がリストとして表示されるので、ユーザが以前に見た○○番組で紹介されていた場所へ行ってみたいと考えたとき、その考えが直接的に操作に繋がるため、分かり易い。
【００６０】
（第４の実施形態）
図１５および図１６は本発明の第４の実施形態を示す。この実施形態が前述の第３の実施形態と異なるところは、図１５に示すように、前記第２の実施形態と同様のセンタ・プロバイダ３０を設けると共に、テレビ受信機３１の制御部３１ａをインターネット４を介してセンタ・プロバイダ３０に接続して視聴履歴をセンタ・プロバイダ３０にも送ってそのデータベースに格納するように構成したところにある。
【００６１】
この実施形態では、視聴履歴からコンテンツを検索する場合、図１６に示すように、制御回路５は、ユーザの操作に基づいて視聴履歴利用のコンテンツ検索を受け付け（ステップＣ１）を行った後、センタ・プロバイダ３０にアクセスして当該ユーザの視聴履歴が格納されているか否かを問い合わせる（ステップＣ２）。センタ・プロバイダ３０が視聴履歴を保持している場合には（ステップＣ２で「ＹＥＳ」）、制御回路５は、センタ・プロバイダ３０から視聴履歴を取得し（ステップＣ３）、その視聴履歴を表示装置６に表示する（ステップＣ４）。センタ・プロバイダ３０が視聴履歴を保持していない場合には（ステップＣ３で「ＮＯ」）、制御回路５は、外部メモリ１３に記憶されている視聴履歴を表示装置６に表示する（ステップＣ４）。
なお、視聴履歴を表示装置６に表示した後の制御の内容は、上述の実施形態３の場合のステップＢ４以降の処理と同様であるので、説明を省略する。
【００６２】
（第５の実施形態）
図１７は本発明の第５の実施形態を示す。この実施形態は前述の第１の実施形態の構成を前提とし、更に、例えばドライブの途中で余裕時間が生じた場合、その余裕時間内に立ち寄ることができる場所を、コンテンツ・プロバイダ３が提供するコンテンツから検索することができる機能を付加したところにある。
【００６３】
以下に図１７により制御内容を説明する。なお、ナビゲーション装置２には、最終的な目的地が設定されているものとする。まず、ナビゲーション装置２をコンテンツ利用モードに設定し、タッチパネル２１を操作して余裕時間によるコンテンツ検索を選択すると、制御回路５は、その選択入力を受け付け（ステップＤ１）、次に、余裕時間設定の方法として、余裕時間を直接入力するか、帰着希望時間を入力するかのいずれを選択するかの画面を表示装置６に表示する（ステップＤ２）。
【００６４】
ユーザが余裕時間（ここでは、現在の時間から最終目的地に到着するまでの時間を言う。以下、同じ。）の直接入力を選択し、余裕時間を入力すると、制御回路５は、その入力された時間を受け付け（ステップＤ３）、前述の第１の実施形態の図７のステップＳ１〜ステップＳ１２と同様のステップを経てコンテンツリストを取得する（ステップＤ６）。また、ユーザが帰着希望時刻の入力方法を選択し、帰着希望時間を入力すると（ステップＤ４）、制御回路５は、ＧＰＳから受信した現在時刻或いはナビゲーション装置２自身が有する時計装置（図示せず）から取得した現在時刻と、入力された帰着希望時刻とから余裕時間を計算し（ステップＤ５）、そして前述のステップＤ６に移行してコンテンツリストを取得する。
【００６５】
その後、制御回路５は、取得したコンテンツリストに含まれる各番組で紹介された場所の位置情報をコンテンツ・プロバイダ３から取得し（ステップＤ７）、現在位置から各場所を経て最終目的地に帰着するまでに要する時間を取得した各場所について計算する（ステップＤ８）。そして、制御回路５は、余裕時間内に立ち寄り可能な場所を抽出し（ステップＤ９）、抽出した場所のうちから一定の基準、例えば放送日時が現時点に最も近いといった基準により検索した場所を並べたリストを作成し（ステップＤ１０）、これを表示装置６に表示する（ステップＤ１１）。
ユーザは、表示された場所のリストから所望の場所を１つ選択する。制御回路５は、その選択された場所を受け入れ（ステップＤ１２）、現在地からその選択された場所を経て最終目的地に至る経路を設定し（ステップＤ１３）、エンドとなる。
【００６６】
（第６の実施形態）
図１８は本発明の第６の実施形態を示すもので、上述の第５の実施形態と基本的には同様のもので、異なるところは余裕時間内に立ち寄る場所ではなく、余裕時間内に巡ることができる複数場所の経路を探索するようにしたところにある。従って、図１８のフローチャートは図１７のフローチャートと同様で、ただステップＥ７では、コンテンツリストに含まれる番組で紹介された場所を巡る経路情報を取得し、次のステップＥ８では、各経路について現在地から取得した経路を通って最終目的地に到着するまでの時間を計算し、ステップＥ９では、余裕時間内に経由可能な経路を抽出し、ステップＥ１０、１１では、一定の基準で抽出した経路のリストを作成して表示し、ステップＥ１２では、ユーザの選択した経路を受け付け、ステップ１３ではその経路を経て最終目的地に至る経路を設定するようにしたところが異なっている。
【００６７】
（第７の実施形態）
図１９は本発明の第７の実施形態を示す。この実施形態は、上述の第５の実施形態と基本的には同様であるが、第２の実施形態の構成を前提とし、図８に示すセンタ・プロバイダ３０が設けられているところが相違する。制御内容についても、基本的には上述の第５の実施形態と同様で、ただ、センタ・プロバイダ３０が設けられていることから、第５の実施形態におけるステップＤ６に相当する本実施形態のステップＦ６のコンテンツリストを取得する段階が第２の実施形態を示す図９のステップＡ１〜Ａ１３と同様のステップを経て取得するところが異なっている。
【００６８】
（第８の実施形態）
図２０は本発明の第８の実施形態を示すもので、上述の第６の実施形態と基本的には同様のもので、この実施形態も第２の実施形態の構成を前提とし、図８に示すセンタ・プロバイダ３０が設けられている。このため、制御内容についても、基本的には上述の第６の実施形態と同様で、ただ、センタ・プロバイダ３０が設けられていることから、第６の実施形態におけるステップＥ６のコンテンツリストを取得する段階が第２の実施形態を示す図９のステップＡ１〜Ａ１３と同様のステップを経て取得するところが異なっている。
【００６９】
（第９の実施形態）
以下に述べる本発明の第９〜第１２の各実施形態は、上述の第５〜第８の各実施形態とそれぞれ同様に余裕時間内に立ち寄ることができる場所や経路を検索するようにしたものであるが、コンテンツリストを視聴履歴から取得するようにしたところが第５〜第８の各実施形態と相違する。
【００７０】
まず、図２１に示す本発明の第９の実施形態は、第３の実施形態（図１１〜図１４）の構成を前提とし、視聴履歴を狭域通信システムによってナビゲーション装置２に送信しておくようにしたものである。その制御内容は、図１７の第５の実施形態と基本的には同様で、場所を検索するようにしたものであるが、ステップＨ６（第５の実施形態ではステップＤ６）で、外部メモリ１３から取得した視聴履歴に含まれる番組のコンテンツを提供するコンテンツ・プロバイダを検索することと、ステップＨ７の（第５の実施形態ではステップＤ７）で、視聴履歴に含まれる番組で紹介された場所の位置情報をステップＨ６で取得したコンテンツ・プロバイダから取得、のところが相違する。
【００７１】
（第１０の実施形態）
図２２に示す本発明の第１０の実施形態では、第３の実施形態（図１１〜図１４）の構成を前提としている。そして、その制御内容は、図１８の第６の実施形態と基本的には同様で、経路を検索するようにしたものであるが、ステップＩ６（第６の実施形態ではステップＥ６）で、外部メモリ１３（第６の実施形態ではステップＥ６）で、外部メモリ１３から取得した視聴履歴に含まれる番組のコンテンツを提供するコンテンツ・プロバイダを検索することと、ステップＩ７の（第６の実施形態ではステップＥ７）で、視聴履歴に含まれる番組で紹介された場所の経路情報をステップＩ６で取得したコンテンツ・プロバイダから取得、のところが相違する。
【００７２】
（第１１の実施形態）
図２３は本発明の第１１の実施形態を示すもので、第４の実施形態（図１５および図１６）の構成を前提とし、視聴履歴をナビゲーション装置２とセンタ・プロバイダ３０に送信しておくようにしたものである。その制御内容は、図１９の第７の実施形態と基本的には同様で、余裕時間内で行ける場所を検索するようにしたものであるが、ステップＪ６（第７の実施形態ではステップＦ６）で、外部メモリ１３またはセンタ・プロバイダ３０から視聴履歴を取得することと、ステップＪ７の（第７の実施形態ではステップＦ７）で、視聴履歴に含まれる番組のコンテンツを検索してその番組で紹介された場所の位置情報をセンタ・プロバイダから取得、のところが相違する。
【００７３】
（第１２の実施形態）
図２４は本発明の第１２の実施形態を示すもので、第４の実施形態（図１５および図１６）の構成を前提とし、視聴履歴をナビゲーション装置２とセンタ・プロバイダ３０に送信しておくようにしたものである。その制御内容は、図２０の第８の実施形態と基本的には同様で、余裕時間内で行ける経路を検索するようにしたものであるが、ステップＫ６（第８の実施形態ではステップＧ６）で、外部メモリ１３またはセンタ・プロバイダ３０から視聴履歴を取得することと、ステップＫ７の（第８の実施形態ではステップＧ７）で、視聴履歴に含まれる番組のコンテンツを検索してその番組で紹介された経路情報をセンタ・プロバイダから取得、のところが相違する。
【００７４】
（第１３の実施形態）
図２５は本発明の第１３の実施形態を示す。この実施形態は、第１の実施形態を示す図３と同一構成のナビゲーション装置（カーナビゲーション装置）２の制御回路５にデジタル放送のテレビ受信機（デジタル放送受信手段）３４を接続したところにある。
そして、制御回路５は、コンテンツ作成プログラム、コンテンツリスト作成プログラム、その他、コンテンツ利用のプログラムを記憶しており、テレビ受信機３４にて受信した放送番組から、その放送番組名、放送日時、放送局名、その放送番組に関する場所名、その場所の位置情報などを取得してコンテンツを作成し（コンテンツ作成手段）、その作成したコンテンツを記憶装置としての外部メモリ１３に記憶するように構成されている。コンテンツ利用モードが選択されると、制御回路５は、外部メモリ１３に記憶されたコンテンツのリストを番組表形式にて作成し（リスト作成手段）、そのコンテンツリストを表示装置６に表示する。そして、ユーザがそのコンテンツリストから所望のコンテンツを選択すると、外部メモリ１３に記憶されたコンテンツに含まれる場所をリストにして表示装置６に表示する。その後、ユーザが場所のリストから所望の場所を選択すると、制御回路５は、その選択された場所の位置情報を外部メモリ１３から取得し、その場所への経路を設定して経路案内へと移行する。
このように構成すれば、ナビゲーション装置２によって放送番組のコンテンツを作成することができ、外部の情報源を使用しなくて済む。
【００７５】
（第１４の実施形態）
図２６は本発明の第１４実施形態を示す。この実施形態は、図１ないし図７に示された第１実形態を前提にしており、当該第１実施形態と異なるところは、コンテンツ取得方法として、現在位置を利用する形態を付加したところにある。
即ち、ナビゲーション装置２をコンテンツ利用モードに設定すると、先に説明したと同様に、表示装置６にコンテンツリストの取得方法が表示され（ステップＳ１）、この表示を基にしてユーザが「現在位置を利用する」か「現在位置を利用しない」のうちのいずれかを選択する（ステップＳ２０）。
【００７６】
「現在位置を利用しない」が選択されると、制御回路５は、図７に示されているステップＳ２に移行し、以下、第１の実施形態で説明したと同様にして３つの取得方法のいずれかによってコンテンツリストが取得される。そして、このコンテンツリストにより番組が選択され、更に番組から場所が選択されると、その選択された場所へ行くための経路設定が行われる。
【００７７】
「現在位置を利用する」が選択されると、制御回路５は、表示装置６にコンテンツ・プロバイダの選択方法を表示する（ステップＳ２１）。この場合の選択方法は、コンテンツ・プロバイダを指定する方法と、キーワードによってコンテンツ・プロバイダを検索する方法であり、ユーザはそのうちのいずれかの方法を選択する（ステップＳ２２）。表示装置６の表示に基づいて、ユーザが、コンテンツ・プロバイダの指定を選択すると、制御回路５は、複数のコンテンツ・プロバイダ３のリストを表示装置６に表示する（ステップＳ２３）。
【００７８】
また、表示装置６の表示に基づいて、ユーザが、キーワード検索を選択すると、制御回路５は、検索エンジンのＷｅｂサイトに接続してこれを表示装置６に表示する（ステップＳ２４）。ユーザがこの検索エンジンのサイトの検索画面を表示して、キーワード、例えば放送局名や放送番組名などを入力すると、制御回路５は、その入力事項を受け付けて検索エンジンに送信する（ステップＳ２５，２６）。検索エンジンは、上記の入力事項を有するコンテンツを有するコンテンツ・プロバイダ３を検索し、そのコンテンツ・プロバイダ３のリストを送信してくるので、制御回路５は、そのプロバイダリストを表示装置６に表示する（ステップＳ２７）。
【００７９】
以上のようにして表示装置６にプロバイダリストが表示されると、ユーザは、そのプロバイダリストから所望のコンテンツ・プロバイダ３を選択する。そして、コンテンツ・プロバイダ３が選択されると（ステップＳ２８）、次に、制御回路５は、表示装置６に現在位置の送信方法を表示する（ステップＳ２９）。現在位置の送信方法としては、「ユーザ指示」と「一定間隔で定期送信」があり、ユーザはそのうちのいずれかを選択する（ステップＳ３０）。
【００８０】
「ユーザ指示」が選択されると、制御回路５は、現在位置送信の指示操作を待つ状態となる（ステップＳ３１）。そして、ユーザが現在位置送信の指示操作を行うと（ステップＳ３１で「ＹＥＳ」）、制御回路５は、現在位置をステップＳ２８で選択されたコンテンツ・プロバイダ３に送信する（ステップＳ３２）。「一定間隔で定期送信」が選択されると、制御回路５は、一定時間毎、または一定距離走行毎に現在位置をステップＳ２８で選択されたコンテンツ・プロバイダ３に送信する（ステップＳ３３）。この場合、「一定間隔で定期送信」の一定間隔を時間とするか、距離とするかは、ユーザの選択による。また、一定間隔の時間または距離の具体的数値もユーザによる設定が可能なように構成されている。
【００８１】
さて、ナビゲーション装置２から現在位置がコンテンツ・プロバイダ３に送信されると、コンテンツ・プロバイダ３は、受信した現在位置から一定距離内にある場所を地図データに基づいて検索し、提供可能なコンテンツのうち、その一定距離内にある場所の情報を含むコンテンツを検索してそのリストを作成し、車両の現在位置から一定距離内にある場所とその場所の情報を含むコンテンツのリストとをナビゲーション装置２に送信する（ステップＳ３４）。ここで、現在位置から一定距離内にある場所は、現在位置から一定距離の半径内に含まれる場所、または現在位置から走行距離で一定距離内に含まれる場所を意味し、いずれを選ぶかはユーザの選択による。
【００８２】
以上のようにしてコンテンツ・プロバイダ３からコンテンツリストが送信されると、これをナビゲーション装置２が受信するので（ステップＳ３５）、制御回路５は、図７に示されているステップＳ１３に移行し、以下、第１の実施形態で説明したと同様にしてコンテンツリストが表示され、このコンテンツリストにより番組が選択され、番組から場所が選択され、そして選択された場所へ行くための経路設定が行われる。
【００８３】
このように本実施形態によれば、場所を選択する場合、ユーザが全く知らない番組、或いは僅かに番組名を知っている程度に過ぎない番組を示しても、ユーザにとってはその番組で紹介された場所へ行くことについての十分な判断基準とはなり得ない。しかし、現在位置の近傍にあり、しかも、十分に知らないとはいえ、放送番組で紹介されたという場所であるならば、場所の選択にとって十分な判断基準となり得る。また、旅先でその土地のローカル番組で紹介されたような場所に行ってみたいというような場合に、有効な選択基準となり得る。
【００８４】
（第１５の実施形態）
図２７は本発明の第１５実施形態を示す。この実施形態は、図８ないし図１０に示された第２実施形態を前提にしており、当該第２実施形態と異なるところは、コンテンツ取得方法として、現在位置を利用する形態を付加したところにある。
即ち、ナビゲーション装置２をコンテンツ利用モードに設定すると、先に説明したと同様に、表示装置６にコンテンツリストの取得方法が表示され（ステップＡ１）、この表示を基にしてユーザが「現在位置を利用する」か「現在位置を利用しない」のうちのいずれかを選択する（ステップＡ２１）。
【００８５】
「現在位置を利用しない」が選択されると、制御回路５は、図９に示されているステップＡ２に移行し、以下、第２の実施形態で説明したと同様にして２つの取得方法のいずれかによってコンテンツリストが取得され、このコンテンツリストにより番組が選択され、番組から場所が選択され、そして選択された場所へ行くための経路設定が行われる。
【００８６】
「現在位置を利用する」が選択されると、制御回路５は、ナビゲーション装置２をセンタ・プロバイダ３０に接続し（ステップＡ２２）、コンテンツリストの取得方法を表示装置６に表示する（ステップＡ２３）。ここでのコンテンツリストの取得方法としては、コンテンツ・プロバイダを指定するか、または指定せずに行うかのいずれかであり、ユーザはそのうちのいずれかを選択する（ステップＡ２４）。
【００８７】
ユーザが、コンテンツ・プロバイダの指定なしを選択すると、制御回路５は、表示装置６に現在位置の送信方法を表示する（ステップＡ２７）。一方、ユーザがコンテンツ・プロバイダの指定ありを選択すると、制御回路５は、コンテンツ・プロバイダ３のリストを表示し（ステップＡ２５）、この表示に基づいてユーザが所望のコンテンツ・プロバイダ３を選択すると（ステップＡ２６）、次に制御回路５は、表示装置６に現在位置の送信方法を表示するステップＡ２７に移行する。
【００８８】
現在位置の送信方法としては、第１４の実施形態と同様に「ユーザ指示」と「一定間隔で定期送信」であり、ユーザはそのうちのいずれかを選択する（ステップＡ２８）。「ユーザ指示」が選択されると、制御回路５は、現在位置送信の指示操作を待つ状態となる（ステップＡ２９）。そして、ユーザが現在位置送信の指示操作を行うと（ステップＡ２９で「ＹＥＳ」）、制御回路５は、現在位置をセンタ・プロバイダ３０に送信する（ステップＡ３０）。「一定間隔で定期送信」が選択されると、制御回路５は、第１４の実施形態と同様に、センタ・プロバイダ３０に一定時間毎、または一定距離走行毎に現在位置を送信する（ステップＡ３１）。このような現在位置の送信時、ステップＡ２６でコンテンツ・プロバイダ３が選択された場合には、その指定されたコンテンツ・プロバイダ３の情報も送信する。
【００８９】
さて、ナビゲーション装置２から現在位置がセンタ・プロバイダ３０に送信されると、センタ・プロバイダ３０は、第１４の実施形態と同様に、受信した現在位置から一定距離内にある場所を地図データに基づいて検索し、提供可能なコンテンツ（選択されたコンテンツ・プロバイダ３があるときは、そのコンテンツ・プロバイダ３が提供可能なコンテンツ）のうち、その一定距離内にある場所の情報を含むコンテンツを検索してそのリストを作成し、車両の現在位置から一定距離内にある場所とその場所の情報を含むコンテンツのリストとをナビゲーション装置２に送信する（ステップＡ３２）。
【００９０】
以上のようにしてセンタ・プロバイダ３０から場所とコンテンツリストが送信され、これをナビゲーション装置２が受信すると（ステップＡ３３）、制御回路５は、図９に示されているステップＡ１４に移行し、以下、第２の実施形態で説明したと同様にしてコンテンツリストと共に場所が表示され、このコンテンツリストにより番組が選択され、番組から場所が選択され、そして選択された場所へ行くための経路設定が行われる。
【００９１】
（その他の実施形態）
なお、本発明は上記し且つ図面に示す実施形態に限定されるものではなく、次のような拡張或いは変更が可能である。
コンテンツは、少なくとも番組名と、番組の中で紹介された場所の位置情報を含むものであれば良い。
経路案内は地図上に経路を表示することによって行うもの（音声案内しない。）であっても良い。
コンテンツリストは、ナビゲーション装置２にリスト作成プログラムを格納しておくことにより、コンテンツ・プロバイダ３からコンテンツをナビゲーション装置２にダウンロードしてナビゲーション装置２自身で作成するようにしても良い。
ナビゲーション装置２は、コンテンツ・プロバイダ３からコンテンツを取得し、その後、自身でコンテンツリスト、詳細リストなどを作成し、ユーザが選択した場所の位置情報を取り出すように構成しても良い。
【００９２】
コンテンツ・プロバイダは、受信履歴作成手段の作成した受信履歴を取得したとき、提供可能なコンテンツの中から、受信履歴に示されたユーザの受信番組のコンテンツだけのリストを作成するようにしても良い。
リスト作成プロバイダ（センタ・プロバイダ３０）は、受信履歴を取得したとき、複数のコンテンツ・プロバイダの提供可能なコンテンツの中から受信履歴に示されたユーザの受信番組についてのコンテンツのリストを作成するようにしても良い。
図１７のステップＤ７および図１９のステップＦ８において、現在地点から番組で紹介された場所を経て目的地に帰着するまでに要する時間を計算する場合、番組で紹介された場所は一箇所だけでなく、複数場所であっても良い。
コンテンツを利用して経路設定するためのプログラム、などコンテンツを扱うためのプログラムは、コンテンツ・プロバイダ３やセンタ・プロバイダ３０からコンテンツリスト取得時などに取得するようにしても良い。
コンテンツに、放送番組に関する場所の他、その放送番組で流された音声を録音した音声またはその音声を擬似する合成音声の情報をも含ませるようにしても良い。
コンテンツに、放送番組に関する場所の他、その放送番組の出演者の写真またはビデオ映像或いは模擬するキャラクタの情報をも含ませるようにしても良い。
デジタル放送はラジオ放送であっても良い。
【図面の簡単な説明】
【００９３】
【図１】本発明の第１の実施形態におけるシステム全体のブロック図
【図２】コンテンツ・プロバイダの構成を示すブロック図
【図３】ナビゲーション装置の構成を示すブロック図
【図４】コンテンツの内容を示す概念図
【図５】コンテンツリストの表示画面を示す図
【図６】番組で紹介された場所のリスト画面を示す図
【図７】フローチャート
【図８】本発明の第２の実施形態におけるシステム全体のブロック図
【図９】フローチャート
【図１０】番組名のコンテンツリストを示す画面の図
【図１１】本発明の第３の実施形態におけるシステム全体のブロック図
【図１２】ナビゲーション装置の構成を示すブロック図
【図１３】視聴履歴の表示画面を示す図
【図１４】フローチャート
【図１５】本発明の第４の実施形態におけるシステム全体のブロック図
【図１６】フローチャート
【図１７】本発明の第５の実施形態におけるフローチャート
【図１８】本発明の第６の実施形態におけるフローチャート
【図１９】本発明の第７の実施形態におけるフローチャート
【図２０】本発明の第８の実施形態におけるフローチャート
【図２１】本発明の第９の実施形態におけるフローチャート
【図２２】本発明の第１０の実施形態におけるフローチャート
【図２３】本発明の第１１の実施形態におけるフローチャート
【図２４】本発明の第１２の実施形態におけるフローチャート
【図２５】本発明の第１３の実施形態を示すシステム全体のブロック図
【図２６】本発明の第１４の実施形態におけるフローチャート
【図２７】本発明の第１５の実施形態におけるフローチャート
【符号の説明】
【００９４】
２はナビゲーション装置（カーナビゲーション装置）、３はコンテンツ・プロバイダ（外部情報源）、４はインターネット（転送手段、通信システム）、５は制御回路（経路設定手段）、６は表示装置（表示手段）、７は位置検出器（現在位置取得手段）、１４は通信装置（転送手段）、２１はタッチパネル（コンテンツ選択手段）、２９はメモリカード（転送手段）、３０はセンタ・プロバイダ（リスト作成プロバイダ）、３１ａはテレビ受信機の制御部（受信履歴作成手段）、３４はテレビ受信機（デジタル放送受信手段）である。
【図１】
2006258794.tif 000003
【図２】
2006258794.tif 000004
【図３】
2006258794.tif 000005
【図４】
2006258794.tif 000006
【図５】
2006258794.tif 000007
【図６】
2006258794.tif 000008
【図７】
2006258794.tif 000009
【図８】
2006258794.tif 000010
【図９】
2006258794.tif 000011
【図１０】
2006258794.tif 000012
【図１１】
2006258794.tif 000013
【図１２】
2006258794.tif 000014
【図１３】
2006258794.tif 000015
【図１４】
2006258794.tif 000016
【図１５】
2006258794.tif 000017
【図１６】
2006258794.tif 000018
【図１７】
2006258794.tif 000019
【図１８】
2006258794.tif 000020
【図１９】
2006258794.tif 000021
【図２０】
2006258794.tif 000022
【図２１】
2006258794.tif 000023
【図２２】
2006258794.tif 000024
【図２３】
2006258794.tif 000025
【図２４】
2006258794.tif 000026
【図２５】
2006258794.tif 000027
【図２６】
2006258794.tif 000028
【図２７】
2006258794.tif 000029